(57)【特許請求の範囲】
【請求項１】
瓦に載置可能な基板と、この基板の前端に固着されて積雪の滑落に抵抗する雪止め板と、からなり、前記基板の後端には、瓦の棟側端縁に係合可能な係止片が形成され、この係止片には、瓦を固定する釘の頭部との干渉を回避する切欠部が形成され、この切欠部の大きさはその幅が釘の頭部の直径よりも大きく、かつ、その高さが釘の頭部の高さよりも高くされていることを特徴とする雪止め金具。
【請求項２】
瓦に載置可能な基板と、この基板の前端に固着されて積雪の滑落に抵抗する雪止め板と、からなり、前記基板の後端には、瓦の棟側端縁に係合可能な係止片が形成され、かつ、その後端近傍には、重ねられた上方の瓦から下方の瓦に載置された基板を釘止めできるように、釘の直径に比して大径で、かつ、幅方向に長穴状の釘穴が形成されていることを特徴とする雪止め金具。
【請求項３】
任意の瓦に重ねられた上方の瓦を引き起こして雪止め金具の基板を差し込み、その後端に形成された係止片を任意の瓦の棟側端縁に係合させた後、上方の瓦の軒側端縁近傍から釘を打ち込み、雪止め金具を瓦に釘止め固定することを特徴とする雪止め金具の施工方法。
【発明の詳細な説明】
【０００１】
【発明の属する技術分野】
本発明は、雪止め金具およびその施工方法に関するものである。
【０００２】
【従来の技術】
一般に、冬季に降雪すると、屋根に積もった雪がその傾斜に沿って隣接地や路上に滑落し、カーポートなどを損傷させるおそれがある。このため、積雪地においては、屋根に雪止め金具を取り付けるようにしている。
【０００３】
この雪止め金具１は、図４に示すように、瓦４に載置可能な基板２と、この基板２の前端に固着されて積雪の滑落に抵抗する雪止め板３と、から構成されている。そして、基板２の後端には、雪止め金具１が取り付けられる瓦４の棟側端縁に係合可能な係止片２１が形成されており、また、その略中央部には、瓦固定金具５の連結片５１（図５参照）を挿通することのできる方形状の開口部２ａが形成され、さらに、この開口部２ａの後方に位置して釘穴２ｂが形成されている。また、雪止め板３は、基板２の前端にリベットＲをかしめて固着されており、その下端縁は前方に略直角に折曲されて瓦４に接地可能な接地片３１が形成されている（例えば、特開平８−６０８２４号公報参照）。
【０００４】
そして、この雪止め金具１を新築などの瓦屋根の施工に合わせて施工するには、まず、屋根の流れ方向の下方から瓦４ａを瓦固定金具５とともに野地板６に釘止めした後（図６（ａ）参照）、雪止め金具１を、その基板２が瓦４ａの山部に、雪止め板３の接地片３１がその山部を挟む谷部にそれぞれ位置するように、適宜間隔をおいて載置する。そして、基板２の開口部２ａを通して瓦固定金具５の連結片５１を挿通させる（図７参照）とともに、基板２の係止片２１を瓦４ａの棟側端縁に係合させた後、野地板６に釘止めする（図６（ｂ）参照）。この後、次の瓦４ｂを先に葺設した瓦４ａに重ねて配置し、同様に瓦固定金具５とともに釘止めする。そして、先に葺設した瓦４ａとともに固定された瓦固定金具５の連結片５１を折り曲げて上方の瓦４ｂの軒側端縁部を連結すれば、先に葺設した瓦４ａと上方の瓦４ｂとの間に雪止め金具１を取り付けることができる（図６（ｃ）参照）。
【０００５】
一方、既設の瓦屋根の任意の瓦４ａに雪止め金具１を取り付けるには、図８に示すように、その任意の瓦４ａとともに固定されている瓦固定金具５の連結片５１を起こし、その上方の瓦４ｂとの連結状態を解除する。そして、金槌の釘抜き部分を瓦４ａと上方の瓦４ｂとの間に差し込んで上方の瓦４ｂを若干引き起こした後、その引き起こした上方の瓦４ｂと任意の瓦４ａとの空間に雪止め金具１の基板２を差し込み、その係止片２１を瓦４ａの棟側端縁に係合させればよい。この際、基板２の開口部２ａに瓦固定金具５の連結片５１を挿通させる。
【０００６】
【発明が解決しようとする課題】
しかしながら、前述した雪止め金具を既設の瓦屋根に施工する場合、上方の瓦の引き起し量は、瓦の整合性が損なわれない程度に抑えられていることから、任意の瓦との間に形成された小さな空間に雪止め金具の基板を差し込むと、係止片が瓦を固定する釘の頭部に干渉し、円滑に差し込むことができないという問題があった。
【０００７】
また、新築などの瓦屋根の施工に合わせて雪止め金具を施工する場合は雪止め金具を釘止めすることができるものの、既設の瓦屋根に雪止め金具を施工する場合は基板の係止片を瓦の棟側端縁に係合させるだけであり、確実に係合していない場合には脱落する可能性がある。すなわち、前述したように、上方の瓦の引き起し量に合わせて係止片の高さが規定される関係上、瓦の棟側端縁に確実に係合する高さに形成することは困難であり、この結果、瓦の棟側端縁に係止片が不完全な状態で係合している場合は、降雪時、滑落しようとする積雪の負荷によって係止片と瓦との係合が外れて脱落するおそれがある。
【０００８】
本発明は、このような問題点に鑑みてなされたもので、既設の瓦屋根に雪止め金具を施工する際、瓦を固定する釘の頭部に干渉することなく円滑に差し込むことのできる雪止め金具を提供するものである。
【０００９】
また、本発明は、既設の瓦屋根に雪止め金具を釘止めして確実に固定することのできる雪止め金具を提供するとともに、その施工方法を提供するものである。
【００１０】
【課題を解決するための手段】
請求項１記載の発明は、瓦に載置可能な基板と、この基板の前端に固着されて積雪の滑落に抵抗する雪止め板と、からなり、前記基板の後端には、瓦の棟側端縁に係合可能な係止片が形成され、この係止片には、瓦を固定する釘の頭部との干渉を回避する切欠部が形成され、この切欠部の大きさはその幅が釘の頭部の直径よりも大きく、かつ、その高さが釘の頭部の高さよりも高くされていることを特徴とするものである。
【００１１】
また、請求項２記載の発明は、瓦に載置可能な基板と、この基板の前端に固着されて積雪の滑落に抵抗する雪止め板と、からなり、前記基板の後端には、瓦の棟側端縁に係合可能な係止片が形成され、かつ、その後端近傍には、重ねられた上方の瓦から下方の瓦に載置された基板を釘止めできるように、釘の直径に比して大径で、かつ、幅方向に長穴状の釘穴が形成されていることを特徴とするものである。
【００１２】
さらに、請求項３記載の発明は、任意の瓦に重ねられた上方の瓦を引き起こして雪止め金具の基板を差し込み、その後端に形成された係止片を任意の瓦の棟側端縁に係合させた後、上方の瓦の軒側端縁近傍から釘を打ち込み、雪止め金具を瓦に釘止め固定することを特徴とするものである。
【００１３】
【発明の実施の形態】
以下、本発明の実施例の形態を図面に基づいて説明する。
【００１４】
なお、図４乃至図８に示した部材と同一の部材には同一の符号を用いる他、その詳細な説明は重複するため省略する。
【００１５】
図１には、本発明の雪止め金具１が示されており、この雪止め金具１の基板２の後端に形成された係止片２１には、切欠部２１ａ（図２参照）が形成されている。また、開口部２ａの後方に位置して釘の直径に比較して大径の、かつ、幅方向に長穴状の釘穴２ｃが形成されている。
【００１６】
したがって、既設の瓦屋根の任意の瓦４ａに雪止め金具１を取り付ける場合において、金槌によって引き起こした上方の瓦４ｂと任意の瓦ａの間に雪止め金具１の基板２を差し込む際、その後端に形成した係止片２１の切欠部２１ａは、瓦４ａを固定する釘の頭部との干渉を回避することから、係止片２１が瓦４ａの棟側端縁に係合するまで円滑に差し込むことができる。
【００１７】
そして、瓦４ａに雪止め金具１を取り付けた後、上方の瓦４ｂの軒側端縁近傍にドリルで穴を開けて釘を打ち込むことにより、雪止め金具１の基板２に形成された釘穴２ｃおよび瓦４ａを通して野地板６に固定することができる。この際、上方の瓦４ｂの軒側端縁近傍への穴開けは、寸法を計測して正確に位置決めされるものである（図３参照）。
【００１８】
この結果、既設の瓦屋根に雪止め金具１を施工する場合においても、雪止め金具１を瓦４ａに確実に釘止めすることが可能となる。
【００１９】
なお、この実施形態においては、雪止め金具１の基板２を瓦４の曲率半径に合わせて幅方向に湾曲させており、このため、基板２を瓦４に安定して載置することができる。また、雪止め板３の変形を防止するため、その上端縁に棟側に折り返された鍔縁３２が延設されている。
【００２０】
ここで、雪止め金具１の材質としては、例えば、ステンレス鋼板、アルミニウム板、銅板、鍍金鋼板、塗装鋼板などの金属や、ＦＲＰなどの硬質合成樹脂を採用することができる。
【００２１】
また、前述した実施形態においては、雪止め金具１の基板２と雪止め板３とをリベットＲで固着して例示したが、リベットＲに限定するものではなく、例えば、一方に突起を、他方に凹陥部もしくは穴をそれぞれ設けて両者を嵌合してもよく、溶着や接着を利用してもよい。また、ボルトナットを用いて締結することもできる。
【００２２】
さらに、雪止め金具１の基板２に瓦固定金具５が挿通可能な開口部２ａを形成した実施形態を例示したが、瓦固定金具５を用いることなく釘のみで瓦４を固定する場合は、必ずしも開口部２ａは必要ではない。
【００２３】
【発明の効果】
以上のように請求項１記載の発明によれば、雪止め金具を構成する基板の後端に瓦の棟側端縁に係合可能な係止片が形成され、この係止片に瓦を固定する釘の頭部との干渉を回避する切欠部が形成され、この切欠部の大きさはその幅が釘の頭部の直径よりも大きく、かつ、その高さが釘の頭部の高さよりも高くされていることにより、既設の瓦屋根に雪止め金具を施工する際、基板の係止片を瓦を固定する釘の頭部と干渉させることなく瓦の棟側端縁まで円滑に差し込むことができる。
【００２４】
また、請求項２記載の発明によれば、雪止め金具を構成する基板の後端に瓦の棟側端縁に係合可能な係止片が形成され、かつ、その後端近傍に重ねられた上方の瓦から下方の瓦に載置された基板を釘止めできるように、釘の直径に比して大径で、かつ、幅方向に長穴状の釘穴が形成されていることにより、既設の瓦屋根に雪止め金具を施工する際、雪止め金具を瓦に釘止めすることが可能となり、仮に係止片と瓦の棟側端縁との係合が不完全な場合であっても、脱落することなく確実に固定することができる。
【００２５】
さらに、請求項３記載の発明によれば、任意の瓦に重ねられた上方の瓦を引き起こして雪止め金具の基板を差し込み、その後端に垂設された係止片を任意の瓦の棟側端縁に係合させた後、上方の瓦の軒側端縁近傍から固定釘を打ち込み、雪止め金具を瓦に釘止め固定することにより、既設の瓦屋根に雪止め金具を脱落することなく確実に固定することができる。
【図面の簡単な説明】
【図１】本発明の雪止め金具を示す斜視図である。
【図２】図１の雪止め金具の後部を示す斜視図である。
【図３】本発明の雪止め金具の施工状態を示す断面図である。
【図４】従来の雪止め金具を示す斜視図である。
【図５】瓦固定金具を示す斜視図である。
【図６】従来の雪止め金具を瓦屋根の施工に合わせて施工する場合の説明図である。
【図７】図６における雪止め金具と瓦固定金具との関係を示す斜視図である。
【図８】従来の雪止め金具を既設の屋根に施工する場合の説明図である。
【符号の説明】
１  雪止め金具
２  基板
２ａ  開口部
２ｃ  釘穴
２１  係止片
２１ａ  切欠部
３  雪止め板
４，４ａ，４ｂ  瓦
５  瓦固定金具
６  野地板
【図１】
0003715384.tif 000002
【図２】
0003715384.tif 000003
【図３】
0003715384.tif 000004
【図４】
0003715384.tif 000005
【図５】
0003715384.tif 000006
【図６】
0003715384.tif 000007
【図７】
0003715384.tif 000008
【図８】
0003715384.tif 000009